(57)【特許請求の範囲】
【請求項１】
支持脚に対し、天板が、略水平状態をなす使用位置と起立状態をなす折畳位置との範囲において回動可能に組み付けられると共に、ロック部材によって前記使用位置と前記折畳位置とにそれぞれロックされるテーブルであって、
前記ロック部材は、前記天板の下側に回動可能に組み付けられると共に付勢手段によって一方向に回動付勢され、
前記ロック部材には、前記天板が使用位置に配置されたときに、前記付勢手段の付勢力によって前記支持脚側に固定のロックピンに嵌挿されて係合するロック溝が形成され、
さらに、前記ロック部材には、前記天板が折畳位置に配置されたときに、前記付勢手段の付勢力によって前記支持脚側に固定のストッパ片に接離可能に係合する係合片が形成され、
しかも、前記ロック部材には、前記付勢手段の付勢力に抗して前記ロック部材を回動操作するための操作ハンドルが同ロック部材と一体に、または同ロック部材に固定され、
さらに、前記操作ハンドルは、前記ロック部材と別体に形成されて、同ロック部材に固定状態で装着されると共に、前記ロック部材の外側面全体を隠蔽するカバー部と、操作用のハンドル部とを一体に備えているテーブル。
【請求項２】
請求項１に記載のテーブルにおいて、ロックピンとストッパ片は支持脚の上端部に固定された天板受け体に設けられているテーブル。
【発明の詳細な説明】
【０００１】
【発明の属する技術分野】
この発明は、テーブルに関し、特に、支持脚に対し、天板が、略水平状態をなす使用位置と起立状態をなす折畳位置との範囲において回動可能に組み付けられると共に、ロック部材によって使用位置と折畳位置とにそれぞれロックされるテーブルに関する。
【０００２】
【従来の技術】
このような形式のテーブルには、例えば、実公平１−１６４２９号公報に開示されている。
これにおいては、支持脚（脚杆）に対し、天板を略水平状態をなす使用位置と起立状態をなす折畳位置とロックするためのロック部材（係止片）には、係合溝が形成される一方、支持脚側には、天板が使用位置に配置されたときに前記ロック部材の係合溝に係合する係合ピンと、天板が折畳位置に配置されたときに前記ロック部材の係合溝に係合する係合ピンとが上下一対をなしてそれぞれ設けられている。
また、ロック部材は、連片と連結杆を介して操作ハンドルに連結されている。さらに、ロック部材と連片は連結ピンと縦長孔によって連結されている。
そして、操作ハンドルをバネの弾発力に抗して回動操作することで、その操作力が連結杆、連片及び連結ピンと縦長孔を介してロック部材に伝達され、ロック部材がアンロック方向に回動される。これによって、使用位置にある天板が折畳位置に向けて回動されたり、あるいは、折畳位置にある天板が使用位置に向けて回動されるようになっている。
【０００３】
【発明が解決しようとする課題】
ところで、前記従来のテーブルにおいて、ロック部材（係止片）は、連片と連結杆を介して操作ハンドルに連結されている。さらに、ロック部材と連片は連結ピンと縦長孔によって連結されている。このため、構造が複雑で部品点数や組付工数が多くなり、コスト高となる問題点があった。
【０００４】
この発明の目的は、前記従来の問題点に鑑み、構造が簡単で、かつ部品点数や組付工数を軽減してコスト低減を図ることができるテーブルを提供することである。
【０００５】
【課題を解決するための手段】
前記目的を達成するために、請求項１の発明に係るテーブルは、支持脚に対し、天板が、略水平状態をなす使用位置と起立状態をなす折畳位置との範囲において回動可能に組み付けられると共に、ロック部材によって前記使用位置と前記折畳位置とにそれぞれロックされるテーブルであって、
前記ロック部材は、前記天板の下側に回動可能に組み付けられると共に付勢手段によって一方向に回動付勢され、
前記ロック部材には、前記天板が使用位置に配置されたときに、前記付勢手段の付勢力によって前記支持脚側に固定のロックピンに嵌挿されて係合するロック溝が形成され、
さらに、前記ロック部材には、前記天板が折畳位置に配置されたときに、前記付勢手段の付勢力によって前記支持脚側に固定のストッパ片に接離可能に係合する係合片が形成され、
しかも、前記ロック部材には、前記付勢手段の付勢力に抗して前記ロック部材を回動操作するための操作ハンドルが同ロック部材と一体に、または同ロック部材に固定され、
さらに、前記操作ハンドルは、前記ロック部材と別体に形成されて、同ロック部材に固定状態で装着されると共に、前記ロック部材の外側面全体を隠蔽するカバー部と、操作用のハンドル部とを一体に備えている。
【０００６】
したがって、略水平状態をなす使用位置に配置された天板は、ロック部材のロック溝とロックピンとの係合作用によって使用位置にロックされる。
前記使用位置にロックされた天板を折畳位置に配置切換する場合、操作ハンドルが付勢手段の付勢力に抗して回動操作される。すると、ロック部材のロック溝がロックピンより抜け出てロック解除される。
ここで、天板が折畳位置まで回動される。すると、ロック部材の係合片がストッパ片に当接して係合し、その係合力によって天板が折畳位置にロックされる。
前記ロック溝と係合片とを備えたロック部材に対し、操作ハンドルが、同ロック部材と一体、または同ロック部材に固定されて装着されている。このため、従来と異なり、ロック部材（係止片）に対し、連片と連結杆を介して操作ハンドルを連結する必要性を解消することができ、その分だけ構造を簡単化することができる。
【０００７】
また、操作ハンドルは、ロック部材と別体に形成されて、同ロック部材に固定状態で装着されると共に、前記ロック部材の外側面全体を隠蔽するカバー部と、操作用のハンドル部とを一体に備えている。
したがって、操作ハンドルは、ロック部材を回動操作するための操作ハンドルとしての本来の機能に加えて、ロック部材を覆うカバー機能を付与することができ、外観意匠も向上する。
【０００８】
請求項２の発明に係るテーブルは、請求項１に記載のテーブルにおいて、ロックピンとストッパ片は支持脚の上端部に固定された天板受け体に設けられている。
したがって、天板受け体に対し、ロックピンとストッパ片とを容易に配設することができ、特に、天板受け体を平板材によってプレス加工すると同時にストッパ片を折り曲げ加工することが可能となり、コスト低減を図ることができる。
【０００９】
【発明の実施の形態】
この発明の実施の形態を図１〜図７にしたがって説明する。
テーブルを分解して斜視図で表した図１、側面から表した図２、正面から表した図３及び平面から表した図４において、前後方向に延びかつ左右一対をなす脚台２の下面の前後部計４箇所には、キャスター３が装着されている。
両脚台２の上面の中央部寄りには左右一対をなす支持脚４が所定角度だけ傾斜した状態でそれぞれ立設されている。
左右一対の支持脚４は、これら両支持脚４の間の所定高さ位置に架設された横枠材５によって連結されている。
【００１０】
前記両支持脚４の上端部には、左右一対の天板受け体２１及び支軸６を介して天板１０が回動可能に装着されている。
この実施の形態において、両支持脚４の上端部外側面には略四角形の金属製平板材よりなる天板受け体２１が溶接、ネジ等の固定手段によって固定されている。
一方、天板１０の下面の左右両端部寄りには、連結パイプ１５で連結された左右一対の支持体１１が装着されている。これら支持体１１は、天板１０の下面の前後方向に沿う上板部１２と、その上板部１２の内側に下方に向けて直角状に折り曲げられた壁板部１３とを備えて断面略逆Ｌ字状に形成されている。
そして、前記両天板受け体２１側から左右一対の支軸６が支持体１１の壁板部１３の所定位置に嵌挿されて天板１０が組み付けられることで、天板１０が支軸６を中心として回動し、その天板１０が、図２に示すように、略水平状態をなす使用位置と、図７に示すように、起立状態をなす折畳位置とに配置切換されるようになっている。
【００１１】
一対の支持脚４と天板１０との間には、天板１０を使用位置と折畳位置とにそれぞれロックするための左右一対のロック部材３０がそれぞれ配設されている。
これら一対のロック部材３０は、その略中央部において、回動軸３６を中心として天板１０の支持体１１の壁板部１３に回動可能に組み付けられている。
また、一対のロック部材３０の回動軸３６は壁板部１３に固定された筒体１４に対し回動可能に嵌挿されて支持されている。
両回動軸３６の先端部は、筒体１４の端部からそれぞれ所定長さだけ突出されている。そして、両回動軸３６の先端部に跨って円筒状の連結杆４０がその両端部において嵌挿されかつ締付ボルト４１によって結合されている。
また、一対のロック部材３０は、付勢手段としてのバネ５０によって一方向に回動付勢されている。このバネ５０は、コイル状に巻回されたばね力蓄積部５１を有するトルクスプリングよりなり、そのバネ５０の一端部５２は、支持体１１に係合し、他端の掛止部５３は、ロック部材３０の所定位置に掛け止めされている（図１及び図５参照）。
【００１２】
図５に示すように、一対のロック部材３０の一端部寄りには、天板１０が使用位置に配置されたときに、支持脚４上端部の一対の天板受け体２１に固定のロックピン２２に挿脱可能に差し込まれて係合する一端開口のロック溝３１がそれぞれ形成されている。
また、図５と図６に示すように、一対のロック部材３０には、天板１０が折畳位置に配置されたときに、一対の天板受け体２１に切り起こし状に形成されたストッパ片２３に接離可能に係合する係合片３３が、ロック溝３１の開口部３２近傍にそれぞれ形成されている。
さらに、天板１０が使用位置に配置されたときには、ロック部材３０のロック溝３１がロックピン２２に係合する方向にロック部材３０がバネ５０の付勢力によって回動付勢される。さらに、天板１０が折畳位置に配置されたときには、ロック部材３０の係合片３３がストッパ片２３に係合する方向にロック部材３０がバネ５０の付勢力によって回動付勢されるようになっている。
【００１３】
前記一対のロック部材３０には、バネ５０の付勢力に抗してロック部材３０を回動操作するための操作ハンドル６０がそれぞれ装着されている。
これら操作ハンドル６０は、金属板よりなるロック部材３０と異なり、合成樹脂によって形成されている。そして、操作ハンドル６０は、ロック部材３０の外側面から嵌込まれて同ロック部材３０に固定状態でそれぞれ装着されている。
図１と図２に示すように、操作ハンドル６０は、ロック部材３０の外側面全体を覆って隠蔽する覆いカバー部６２と、その覆いカバー部６２の一側から一体に延出された操作用のハンドル部６１とを備えている。
【００１４】
上述したように構成されるこの実施の形態に係るテーブルにおいて、図２と図５に示すように、略水平状態をなす使用位置に配置された天板１０は、その左右一対の支持体１１の上板部１２下面が左右一対の支持脚４の上端の天板受け体２１の上面に受け支えられて保持される。
天板１０が使用位置に配置されると、バネ５０の付勢力によって、一対のロック部材３０の各ロック溝３１がロックピン２２にそれぞれ係合し、その係合状態に保持されるため、天板１０が使用位置にロックされる。
【００１５】
前記使用位置にロックされた天板１０を折畳位置に配置切換する場合、左右一対の操作ハンドル６０のうち、操作し易い側の操作ハンドル６０のハンドル部６１がバネ５０の付勢力に抗して上方に向けて回動操作される。すると、まず、操作された操作ハンドル６０側のロック部材３０が回動軸３６を中心として回動される。前記一方のロック部材３０とともに、その回動軸３６、連結杆４０、及び他方のロック部材３０の回動軸３６を介して他方のロック部材３０も回動される。
これによって、左右一対のロック部材３０の各ロック溝３１がロックピン２２よりそれぞれ抜け出てロック解除される。
ここで、前記操作ハンドル６０のハンドル部６１を把持しながら天板１０が支軸６を中心として折畳位置まで回動される。
すると、図６と図７に示すように、左右一対のロック部材３０の係合片３３がストッパ片２３にそれぞれ当接して係合し、その係合力によって天板１０が折畳位置にロックされる。
また、折畳位置にロックされた天板１０を使用位置に配置切換する場合には、前記とは逆の手順で操作されることで、天板１０が使用位置に配置切換される。
なお、図７に示すように、天板１０が折畳位置にロックされて折り畳まれたテーブルは、前後方向に重ねられて収納される。
【００１６】
さて、この実施の形態において、ロック溝３１と係合片３３とを備えたロック部材３０に対し、操作ハンドル６０が固定されて装着されている。このため、従来と異なり、ロック部材（係止片）に対し、連片と連結杆を介して操作ハンドルを連結する必要性を解消することができ、構造を簡単化し、部品点数や組付工数を軽減して、コスト低減を図ることができる。
また、この実施の形態において、操作ハンドル６０は、ロック部材３０の外側面全体を覆って隠蔽する覆いカバー部６２と、その覆いカバー部６２の一側から一体に延出された操作用のハンドル部６１とを備えている。このため、ロック部材３０を回動操作するための操作ハンドル６０としての本来の機能に加えて、ロック部材３０を覆うカバー機能を付与することができ、外観意匠も向上する。
【００１７】
また、この実施の形態において、ロック部材３０のロック溝３１と係合片３３とにそれぞれ対応するロックピン２２とストッパ片２３とが支持脚４の上端部に固定された平板状の天板受け体２１に配設されている。
このため、パイプ材から形成された支持脚４の上端部に対し、ロックピン２２とストッパ片２３とを配設するのに比べ、平板状の天板受け体２１に対し、ロックピン２２とストッパ片２３とを容易に配設することができる。特に、天板受け体２１を平板材によってプレス加工すると同時にストッパ片２３を折り曲げ加工することができ、コスト低減を図ることができる。
【００１８】
また、この実施の形態において、左右一対のロック部材３０に対し、操作ハンドル６０がそれぞれ装着され、これら一対の操作ハンドル６０のうち、操作し易い側の操作ハンドル６０によって、左右一対のロック部材３０を連結杆４０を介して同時にロック解除操作することができるため、操作性や使い勝手の向上を図ることができる。
なお、前記実施の形態では、左右一対のロック部材３０に対し、別体に形成された操作ハンドル６０が嵌込みによって装着されるように構成したが、これに限定するものではなく、ロック部材３０の一部からそのロック部材３０と一体に操作ハンドルを延出してもよい。
【００１９】
【発明の効果】
以上述べたように、この発明によれば、ロック部材と一体、または同ロック部材に固定されて操作ハンドルが設けられるため、従来と異なり、ロック部材（係止片）に対し、連片と連結杆を介して操作ハンドルを連結する必要性を解消することができ、構造を簡単化し、部品点数や組付工数を軽減して、コスト低減を図ることができる。
【図面の簡単な説明】
【図１】この発明の実施の形態に係るテーブルの構成を分解して示す斜視図である。
【図２】同じくテーブルを示す側面図である。
【図３】同じくテーブルを示す正面図である。
【図４】同じくテーブルの天板を外した状態を示す平面図である。
【図５】同じくロック部材によって天板が使用位置にロックされた状態を示す正面図である。
【図６】同じくロック部材によって天板が折畳位置にロックされた状態を示す正面図である。
【図７】同じく折り畳まれたテーブルが前後方向に重ねられて収納された状態を示す側面図である。
【符号の説明】
４  支持脚
６  支軸
１０  天板
１１  支持体
２１  天板受け体
２２  ロックピン
２３  ストッパ片
３０  ロック部材
３１  ロック溝
３３  係合片
５０  バネ（付勢手段）
６０  操作ハンドル
６１  ハンドル部
６２  覆いカバー部
【図１】
0004241966.tif 000002
【図２】
0004241966.tif 000003
【図３】
0004241966.tif 000004
【図４】
0004241966.tif 000005
【図５】
0004241966.tif 000006
【図６】
0004241966.tif 000007
【図７】
0004241966.tif 000008